(57)【要約】【課題】良好に異物影を検出できる画像処理装置および画像処理プログラムを提供する。【解決手段】本発明の画像処理装置５０は、２色以上のカラーフィルタ１３ａを通して撮像素子１３により撮影された処理対象画像が入力される画像入力部５２と、処理対象画像中に移り込んだ影部の大きさを判定し、一定の範囲内のものを第一次異物影候補として抽出する第一次判定を行う第一次異物影判定部６１，６２と、第一次異物影判定部において第一異物影候補であると判定された影部について、２色以上のカラーフィルタのうちの１色を通した光の第１色画像における、影部内の外に対する強度の第１落込割合と、他の１色を通した光の第２色画像における、影部内の外に対する強度の第２落込割合と検出し、第１落込割合と第２落込割合と差が閾値以下の影部を、第一異物影候補から更に絞り込んで第二次異物影候補と判定する第二次判定を行う第二次異物影判定部６７と、を備える。【選択図】図５
2012256169.tif 000002
【特許請求の範囲】
【請求項１】
２色以上のカラーフィルタを通して撮像素子により撮影された処理対象画像が入力される画像入力部と、
前記処理対象画像中に移り込んだ影部の大きさを判定して、一定の範囲内のものを第一次異物影候補として抽出する第一次判定を行う第一次異物影判定部と、
前記第一次異物影判定部において第一異物影候補であると判定された影部について、前記２色以上のカラーフィルタのうちの１色を通した光の第１色画像における、前記影部内の前記影部外に対する強度の第１落込割合と、他の１色を通した光の第２色画像における、前記影部内の前記影部外に対する強度の第２落込割合と検出し、前記第１落込割合と前記第２落込割合と差が閾値以下の影部を、前記第一異物影候補から更に絞り込んで第二次異物影候補と判定する第二次判定を行う第二次異物影判定部と、を備えること、
を特徴とする画像処理装置。
【請求項２】
請求項１に記載の画像処理装置であって、
前記第一次異物影判定部は、
前記処理対象画像において明るさの変化量に基づいて連結した画素領域を判定する連結領域判定部と、
前記連結領域判定部によって判定された連結した画素領域のうちから所定範囲の大きさの対象画素領域を抽出する対象領域抽出部と、
を備えること、
を特徴とする画像処理装置。
【請求項３】
請求項１または２に記載の画像処理装置であって、
前記２以上のカラーフィルタの色は、赤、緑、青であること、
を特徴とする画像処理装置。
【請求項４】
請求項１から３のいずれか１項に記載の画像処理装置であって、
前記第一次異物影判定部において前記第一異物影候補であると判定された前記影部が、顔の位置にあるかを判定する顔判定部を備え、
前記第二次異物影判定部は、前記第一異物影候補のうちの前記顔判定部において顔の位置にあると判定されたものについてのみ、前記第二次判定を行うこと、
を特徴とする画像処理装置。
【請求項５】
請求項１から４のいずれか１項に記載の画像処理装置であって、
前記第１色画像と前記第２色画像は、非線形補正されていない画像、または非線形補正された後、線形補正された画像であること、
を特徴とする画像処理装置。
【請求項６】
請求項１から５のいずれか１項に記載の画像処理装置を備えるカメラ。
【請求項７】
請求項１から５のいずれか１項に記載の画像処理装置の機能をコンピュータに実行させるための画像処理プログラム。
【発明の詳細な説明】
【技術分野】
【０００１】
本発明は、画像処理装置および画像処理プログラムに関する。
【背景技術】
【０００２】
デジタルカメラなどの撮像装置では撮像光路上にあり撮像素子の近傍に配置された光学フィルタ等の光学部材に異物が付着すると、付着した異物により生じた異物影が撮像画像に現れ、その部分が画像欠陥となる。特にレンズ交換式の撮像装置では、レンズ交換時に塵や埃などの異物が内部に侵入しやすく、画像欠陥を生じやすい。このような問題を解決するため、光学部材に付着した異物影情報としての基準画像を撮影し、基準画像から異物影位置等の情報を得て通常撮影された撮像画像に写り込んだ異物影を検出し、画像欠陥を補正する画像処理装置が知られている。また、１枚の画像から異物影を検出し、その画像欠陥部を補正する方法も提案されている（特許文献１参照）。
【先行技術文献】
【特許文献】
【０００３】
【特許文献１】特開２００４−２２０５５３号公報
【発明の概要】
【発明が解決しようとする課題】
【０００４】
しかしながら、影部分の光の透過率からの検出では、誤検出した場合に異物影かどうかの判別ができない。特に、顔部分で発生した誤検出を補正した場合、写真の印象に影響を及ぼす可能性が高い。
本発明の課題は、良好に異物影を検出できる画像処理装置及び画像処理プログラムを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、２色以上のカラーフィルタ（１３ａ）を通して撮像素子（１３）により撮影された処理対象画像が入力される画像入力部（５２）と、前記処理対象画像中に移り込んだ影部の大きさを判定して、一定の範囲内のものを第一次異物影候補として抽出する第一次判定を行う第一次異物影判定部（６１，６２）と、前記第一次異物影判定部（６１，６２）において第一異物影候補であると判定された影部について、前記２色以上のカラーフィルタ（１３ａ）のうちの１色を通した光の第１色画像における、前記影部内の前記影部外に対する強度の第１落込割合と、他の１色を通した光の第２色画像における、前記影部内の前記影部外に対する強度の第２落込割合と検出し、前記第１落込割合と前記第２落込割合と差が閾値以下の影部を、前記第一異物影候補から更に絞り込んで第二次異物影候補と判定する第二次判定を行う第二次異物影判定部（６７）と、を備えること、を特徴とする画像処理装置（５０）である。
請求項２に記載の発明は、請求項１に記載の画像処理装置（５０）であって、前記第一次異物影判定部（６１，６２）は、前記処理対象画像において明るさの変化量に基づいて連結した画素領域を判定する連結領域判定部（６１）と、前記連結領域判定部（６１）によって判定された連結した画素領域のうちから所定範囲の大きさの対象画素領域を抽出する対象領域抽出部（６２）と、を備えること、を特徴とする画像処理装置（５０）である。
請求項３に記載の発明は、請求項１または２に記載の画像処理装置（５０）であって、前記２以上のカラーフィルタ（１３ａ）の色は、赤、緑、青であること、を特徴とする画像処理装置（５０）である。
請求項４に記載の発明は、請求項１から３のいずれか１項に記載の画像処理装置（５０）であって、前記第一次異物影判定部（６１，６２）において前記第一異物影候補であると判定された前記影部が、顔の位置にあるかを判定する顔判定部（６６）を備え、前記第二次異物影判定部（６７）は、前記第一異物影候補のうちの前記顔判定部（６６）において顔の位置にあると判定されたものについてのみ、前記第二次判定を行うこと、を特徴とする画像処理装置（５０）である。
請求項５に記載の発明は、請求項１から４のいずれか１項に記載の画像処理装置（５０）であって、前記第１色画像と前記第２色画像は、非線形補正されていない画像、または非線形補正された後、線形補正された画像であること、を特徴とする画像処理装置（５０）である。
請求項６に記載の発明は、請求項１から５のいずれか１項に記載の画像処理装置（５０）を備えるカメラ（１）である。
請求項７に記載の発明は、請求項１から５のいずれか１項に記載の画像処理装置（５０）の機能をコンピュータに実行させるための画像処理プログラムである。
【発明の効果】
【０００６】
本発明によれば、良好に異物影を検出できる画像処理装置および画像処理プログラムを提供できる。
【図面の簡単な説明】
【０００７】
【図１】レンズ交換式のカメラの構成を示す図である。
【図２】カメラと画像処理装置を構成するパーソナルコンピュータ（ＰＣ）および周辺装置を示すブロック図である。
【図３】撮像素子を説明する図である。
【図４】異物影検出・補正処理を行う画像処理装置の機能ブロック図である。
【図５】画像処理装置における異物影判定部の機能ブロック図である。
【図６】ＨＳＶ変換処理の六角錐モデルを表す概念図である。
【図７】画像処理装置における異物影検出・補正処理のフローチャートである。
【発明を実施するための形態】
【０００８】
（第１実施形態）
以下、図面等を参照して、本発明の第１実施形態について説明する。
図１は、レンズ交換式のカメラ１の構成を示す図である。図２は、カメラ１と画像処理装置を構成するパーソナルコンピュータ（ＰＣ）３０および周辺装置を示すブロック図である。
カメラ１は、被写体像を電気信号に変換した画像データとして出力する電子スチルカメラである。
【０００９】
カメラ１は、カメラ本体２と、カメラ本体２に対して着脱可能な撮像レンズ３とにより構成されている。撮像レンズ３は、複数の光学レンズ群（図１においては１枚のレンズで示す）から成る結像光学系３Ｌを備えている。
【００１０】
カメラ１は、結像光学系３Ｌ（撮像レンズ３）とカメラ本体２とを備える。
カメラ本体２は、シャッター１１、光学フィルタ１２、撮像素子１３、画像処理部１４、操作部１５、表示部１６、メモリカード用インターフェース部１７、外部インターフェース部１８、電源１９、制御部２０等を備えている。
【００１１】
シャッター１１は、結像光学系３Ｌから撮像素子１３へ向かう撮影光を遮蔽および通過させることによって、露光時間を調整する。
光学フィルタ１２は、撮像に際して偽色（色モアレ）等の発生を防止する光学ローパスフィルタ等によって構成される。なお、符号４は、この光学フィルタ１２の表面に付着した塵や埃などの異物を示す。このような撮影光の光路上にあって撮影光を透過する光学フィルタ１２に異物４が付着していると、撮像素子１３によって取得される画像データのなかに、異物４の影響を受けた画素が含まれる場合がある。
【００１２】
撮像素子１３は、ＣＣＤやＣＭＯＳ等の光電変換素子であって、複数の画素から構成される矩形形状の撮像領域を有している。図３は撮像素子１３の説明図であり、撮像素子１３の受光面には、それぞれの画素に対応して赤色（Ｒ）フィルタ１３Ｒ、緑色（Ｇ）のフィルタ１３Ｇ、青色（Ｂ）フィルタ１３Ｂを備えるカラーフィルタ１３ａが、いわゆるベイヤ（Ｂａｙｅｒ）配列に基づいて配置されている。
そして、撮像素子１３は、その結像面に結像された像を電気信号に変換し、被写体像に対応する画像信号（撮像信号）を出力する。撮像素子１３から出力された画像信号は、所定のアナログ信号処理の後、Ａ／Ｄ変換されて画像処理部１４に入力される。
【００１３】
画像処理部１４は、撮像素子１３から入力された画像データに対して、補間，階調変換や輪郭強調などの画像処理を行う。補間処理としては、撮像素子１３から出力された未処理画像を、人の目で見た印象に近い画像に補間するガンマ処理等が含まれる。
そして、本実施形態のカメラ１では、撮像素子１３において、画像処理部１４に供給される画像データはＲＧＢ表色系で示される。画像データを構成する各々の画素には、ＲＧＢの何れか１つの色成分の色情報が存在する。
なお、撮像素子１３を構成する１つの光電変換素子を画素と言うが、この画素に対応した画像データの１単位も画素と言う。また、画像も複数の画素から構成される概念である。画像処理が完了した画像データは、補間処理が完了し、各画素にはＲＧＢのすべての色成分の色情報が存在するものとする。
【００１４】
操作部１５は、撮影者が撮影タイミング等を決定する信号を入力するレリーズボタンや、モード切り換え用の選択ボタン等を備えている。そして、操作部１５は、それらの操作情報を制御部に入力する。
表示部１６は、ＬＣＤ等によって構成され、カメラ１における各種設定メニュー、撮像素子１３による撮像画像やメモリカードに格納された画像データに基づく再生画像を表示する。
【００１５】
メモリカード用インターフェース部１７は、メモリカード（カード状のリムーバブルメモリ）４０とのインターフェースをとる。
外部インターフェース部１８は、所定のケーブルや無線伝送路を介してＰＣ３０等の外部装置とのインターフェースをとる。
電源１９は、カメラ１の各機能部に電力を供給する。
【００１６】
制御部２０は、カメラ１における各機能部を統括制御する。すなわち、制御部２０は、操作部１５におけるレリーズスイッチから撮影指示信号が入力されると、シャッター１１を駆動制御して露光動作等の撮影動作を制御する。また、制御部２０は、撮像素子１３で取得されて画像処理部１４で画像処理が行われて入力された画像データを、メモリカード用インターフェース部１７に着脱可能に取り付けられたメモリカード４０等に記憶させ、保存する。さらに、制御部２０は、メモリカード４０等に記憶された画像データを呼び出し、表示部１６に表示させる。
【００１７】
上記のように構成されたカメラ１は、撮影時において制御部２０によって制御されて、下記のように作用する。
操作者によって操作部１５のレリーズボタンが押圧操作されると、シャッター１１を所定時間開放する。撮像素子１３は、結像光学系３Ｌにより撮像領域に結像された光学像に対応する画像信号を生成する。撮像素子１３によって生成された画像信号は、画像データとして画像処理部１４に入力され、画像処理部１４によってガンマ処理等の画像処理が施される。そして、画像処理部１４で画像処理された画像データに基づいて表示部１６に撮影画像を表示すると共に、その画像データに必要に応じてＪＰＥＧ等による圧縮処理を施してメモリカード用インターフェース部１７に装着されたメモリカード４０に記憶・保存する。また、外部インターフェース部１８を介して接続された後述するＰＣ３０に、画像データを送出する。
【００１８】
また、メモリカード４０に記憶・保存され、または、外部インターフェース部１８を介してＰＣ３０に送出される画像データは、たとえば、Ｅｘｉｆファイルに記録される。Ｅｘｉｆファイルには、絞り値、カメラ名，カメラメーカー名，シャッター速度および露光補正等の露出条件、撮影時刻などの付加情報が共に記録される。
【００１９】
パーソナルコンピュータ（ＰＣ）３０は、図示しないが、ＣＰＵ、メモリ、ハードディスク、メモリカード４０とのインターフェースをとるメモリカード用インターフェース部、ケーブルや無線伝送路を介してカメラ１等の外部装置とのインターフェースをとる外部インターフェース部等を備えている。また、ＰＣ３０には、モニタ３１やプリンタ３２等が接続されており、ＣＤ−ＲＯＭ３３に記録された異物影検出・補正処理に係るアプリケーションプログラムが予めインストールされている。
【００２０】
つぎに、図４〜図７を参照して、撮影された対象画像データにおける異物影を検出して補正する処理（異物影検出・補正処理）について説明する。
図４は、異物影検出・補正処理を行う画像処理装置５０の機能ブロック図である。図５は、画像処理装置５０における異物影判定部６０の機能ブロック図である。図６は、ＨＳＶ変換処理の六角錐モデルを表す概念図である。図７は、画像処理装置５０における異物影検出・補正処理のフローチャートである。
【００２１】
異物影検出・補正処理は、メモリカード３０を介して提供された、または、カメラ１の外部インターフェース部１８から伝送された画像処理完了後の画像データに対して、ＰＣ３０によって行われる。前述したように、ＰＣ３０には、異物影検出・補正処理のアプリケーションプログラムがインストールされており、ＰＣ３０はこのプログラムを実行することによって、異物影検出・補正処理を行う画像処理装置として機能する。
【００２２】
ＰＣ３０とプログラムとによって機能する画像処理装置５０は、図４に示すように、対象画像データが入力される入力部５２と、異物影領域を検出する異物影判定部６０と、異物影判定部６０によって検出された異物影情報に基づいてその異物影を補正する補正部５１と、補正画像データが出力された出力部５３と、を備えている。
異物影判定部６０は、機能ブロック図である図５に示すように、連結領域判定部６１と、対象領域抽出部６２と、輝度判定部６３と、色相判定部６４と、彩度判定部６５と、顔判定部６６と、落込み割合判定部６７と、を備えている。
【００２３】
異物影は、たとえば光学フィルタ１２の前面に付着した異物４（図１参照）による異物影を撮影することで生ずるものである。以下、このような異物４（図１参照）による異物影によって生じた異物影領域を例として説明する。
【００２４】
連結領域判定部６１は、対象画像における各画素の明るさ（たとえば輝度）情報から、異物影の可能性のある領域を抽出する部分である。連結領域判定部６１による異物影の検出は、まず、対象画像データを逆ガンマ補正して、得られたＲＧＢによる各画素の画像データをＨＳＶ変換して色相平面、彩度平面を求め、ＲＧＢから輝度平面を求め、さらにその輝度勾配を求めて行う。
【００２５】
（逆ガンマ補正）
連結領域判定部６１は、まず、輝度情報算出に使用する画像のＲＧＢ情報を非線形な状態から線形に戻すために逆ガンマ補正を行う。ＲＡＷ画像の場合は、さまざまな補正処理を加える前のｄｅＢａｙｅｒ配列のカラーフィルタ１３ａを通過した直後の画像を用いることで線形なＲＧＢ情報を得ることができる。ＪＰＥＧ画像の場合は、すでにガンマ補正されているので、線形のＲＧＢ情報を得るために、次のようにして逆ガンマ補正をかける。
Ｒ’＝（Ｒ）γ
Ｇ’＝（Ｇ）γ
Ｂ’＝（Ｂ）γ
例えば、γ＝２．２という値で逆ガンマ補正を行う。γテーブルを参照してリニアに変換してもよい。
【００２６】
（ＨＳＶ変換）
連結領域判定部６１は、逆ガンマ補正された画像を構成する各画素について、ＨＳＶ変換処理を行う。
図６は、ＨＳＶ変換の六角錐モデルの概念図である。明度値Ｖの座標軸は六角錐の中心軸で表され、彩度Ｓの座標軸は六角錐の中心軸に直交する軸で表され、色相Ｈは六角錐の中心軸を回転する回転角で表される。
明度値Ｖ（Ｖａｌｕｅ）、色相値Ｈ（Ｈｕｅ）および彩度値Ｓ（Ｓａｔｕｒａｔｉｏｎ）の各画素の要素は、ＲＧＢ画像データにおける各画素のＲＧＢ要素から、以下の数式（１）〜（１０）を用いて変換される。
【００２７】
Ｖｍａｘ＝ｍａｘ｛Ｒ，Ｇ，Ｂ｝・・・（１）
Ｖｍｉｎ＝ｍｉｎ｛Ｒ，Ｇ，Ｂ｝・・・（２）
として、
Ｖ＝  Ｖｍａｘ  ・・・（３）
Ｓ＝（Ｖｍａｘ−Ｖｍｉｎ）／Ｖｍａｘ  ・・・（４）
Ｈ＝（π／３）（ｂ−ｇ）  （Ｒ＝Ｖｍａｘのとき）  ・・・（５）
Ｈ＝（π／３）（２＋ｒ−ｂ）  （Ｇ＝Ｖｍａｘのとき）  ・・・（６）
Ｈ＝（π／３）（４＋ｇ−ｒ）  （Ｂ＝Ｖｍａｘのとき）  ・・・（７）
【００２８】
ただし、
ｒ＝（Ｖｍａｘ−Ｒ）／（Ｖｍａｘ−Ｖｍｉｎ）  ・・・（８）
ｇ＝（Ｖｍａｘ−Ｇ）／（Ｖｍａｘ−Ｖｍｉｎ）  ・・・（９）
ｂ＝（Ｖｍａｘ−Ｂ）／（Ｖｍａｘ−Ｖｍｉｎ）  ・・・（１０）
なお、式（５）〜（７）で変換された結果、Ｈ＜０の時には、Ｈに２πを加える。また、Ｖｍａｘ＝０の時は、Ｓ＝０，Ｈ＝不定となる。
【００２９】
（輝度情報取得）
輝度情報（Ｙ）は、逆ガンマ補正したリニアＲＧＢ値から算出され、人間の見た目と近い輝度情報を得るためには次のような算式が使用される。
Ｙ＝（０．２９９＊Ｒ’＋０．５８９＊Ｇ’＋０．１１４＊Ｂ’）／２５５・・（１１）
このようにして得られた輝度平面Ｙに対して、縦方向、横方向の微分フィルタをかけ、それぞれの差分
【数１】
2012256169.tif 000003
を求めてから画素の勾配（ｇｒａｄ）を計算する。
【数２】
2012256169.tif 000004
【００３０】
輝度勾配平面では、異物影の周縁部では高い画素値を示し、空などの一様な平面では低い画素値を示す。つまり、エッジ部分では高い画素値を示し、これによって異物影のエッジ部分を検出できる。
【００３１】
（連結画素領域抽出）
また、連結領域判定部６１は、所定の閾値を設定して、輝度勾配平面を２値画像に変換する。すなわち、閾値より高い輝度勾配値を有する画素を「１」、閾値より低い輝度勾配値を有する画素を「０」と置換する。本実施形態では、閾値を０．３とする。
そして、連結領域判定部６１は、このようにして得られた２値画像から、「１」の画素が連結した領域（連結画素領域）を抽出する。連結画素領域とは、たとえば、矩形の画素の４辺の内の少なくとも１辺で連続した（４近傍の）画素領域とする。この連結画素領域が、異物影による異物影の可能性のある領域である。
【００３２】
（連結画素領域の大きさ判定）
対象領域抽出部６２は、連結領域判定部６１によって抽出された連結画素領域の中から、異物影のサイズ（大小）に基づいて異物影部の可能性のある領域を抽出する。
ここで、対象領域抽出部６２は、連結画素領域から異物影部の可能性のある領域を抽出する際において、異物影を生じさせる異物影の大きさを基準とする。
【００３３】
まず、異物影の大きさ判定の基準となる方法について説明する。
ここでは、一般的な異物のサイズである最小１００μｍ×１００μｍ〜最大４００μｍ×４００μｍの異物によって投影される異物影を検出対象とするように画素数によって規定された閾値を基準とし、連結画素領域の大きさがこの閾値内に含まれるものが補正対象となり得る異物影であるとして異物影部の可能性のある領域と判定し、選択する。
【００３４】
（輝度比較）
輝度判定部６３は、先の連結領域判定部６１において説明したＨＳＶ変換によって求められた輝度値Ｙと画像平面に対応する輝度平面とを用い、連結画素領域における内外の輝度を比較する。ここで、異物影は、内部の輝度が周辺の輝度に比較して低く、輝度比は１よりとても小さい。このため、１より小さい所定の閾値を設定し、連結画素領域の輝度比がこの閾値より小さいに場合にのみ、補正対象となり得る異物影であるとして異物影部の可能性のある領域と判定し、選択する。
【００３５】
（色相判定）
色相判定部６４は、先の連結領域判定部６１において説明したＨＳＶ変換によって、各画素の色相値Ｈを求めて画像平面に対応する色相平面を生成する。色相判定６６は、色相値Ｈと色相平面とを用い、連結画素領域における内外の色相を比較する。ここで、異物影は、輝度には大きく影響するものの色相にはほとんど影響を与えず、連結画素領域の内外における色相比はほとんど１に近い。このため、１に近い所定の範囲を設定し、色相比がこの範囲内にある場合にのみ、補正対象とすべき異物影であるとして異物影部の可能性のある領域と判定し、選択する。
【００３６】
（彩度判定）
彩度判定部６５は、先の連結領域判定部６１において説明したＨＳＶ変換によって、各画素の彩度値Ｓを求めて画像平面に対応する彩度平面を生成する。彩度判定部６５は、彩度値Ｓと彩度平面とを用い、連結画素領域における内外の彩度を比較する。
【００３７】
このような彩度比による判定を行う理由は、以下の通りである。
異物部分では、異物周辺の輝度より異物内部の輝度が低く、輝度比は１よりとても小さい。そして、異物影は色相情報にほとんど影響を与えないので、異物内外で色相比はほとんど１に近い。しかし、画像によっては輝度比が１より小さく、色相比がほとんど１に近いような被写体が存在し、この２つの条件だけでは誤検出を起こしてしまうからである。
【００３８】
そこで、異物内外の彩度比を判定に組み込む。一般的に異物は影であり、黒っぽい点像として画像に写り込む。したがって、異物部分の彩度値は周辺部に比べて低くなり、異物内外の彩度比は１よりも小さくなる。反対に、異物ではない被写体部分での彩度比は１より大きくなる箇所も存在する。この特徴を使って判別することで、抽出してきたエリアが異物であるか、被写体であるかを区別することができ、誤検出を排除して異物の検出精度を高めることが出来る。
【００３９】
この彩度判定における彩度の算出には、本実施形態において上で説明した、ＨＳＶ変換式中の彩度の式（４）では、Ｖｍａｘとの比を取っているため、画像中の暗い部分で低彩度とならないことがあり、すなわち、異物部分でも周辺との彩度比を計算したときに、１よりも大きな値となってしまうことがある。例えば、Ｒ＝１２、Ｇ＝７、Ｂ＝３という暗いピクセルがあり、この彩度を上式（４）で求めると、
（１２−３）／１２＝０．７５
となり、最大値１の彩度に対して０．７５とかなり高い値となってしまう。
【００４０】
異物の判別条件として彩度比が１以下であることを用いると、濃い異物が検出されないという問題が生じてしまう。彩度比が１以上を許してしまうと、誤検出が発生してしまう。この問題を解決するために、本実施形態では、彩度判定部においては、上式（４）の代わりに、彩度Ｓを修正彩度Ｓとして以下の式により求める。
【００４１】
【数３】
2012256169.tif 000005
上述した、Ｒ＝１２、Ｇ＝７、Ｂ＝３という暗いピクセルについて、この修正彩度Ｓで計算してみると、最大値１の彩度に対して０．０３となり、暗い部分で彩度が低い値で算出される。
この修正彩度Ｓを用いることで、画像全体の暗い部分の彩度を人間の感覚にそった値で算出でき、異物検出パラメータの彩度比パラメータも範囲を限定することで誤検出を排除することができる。
【００４２】
（顔検出）
ここまでの対策でも誤検出が発生する場合があり、とくに人の顔にあるホクロ等で誤検出しやすい。人の顔での誤検出は他の誤検出よりも画像の見栄えへの影響が大きく、誤検出部を補正した場合には大きく印象が変わってしまう可能性がある。したがって本実施形態では、顔判定部６６を備え、異物影の可能性のある箇所が人の顔にあるか否かを判定する。
【００４３】
顔判定部６６は、異物影を検出する対象となっている画像中における顔領域を、周知の方法で検出する。そして、顔判定部６６に至るまでの連結領域判定部５１から彩度判定部６５までにおいて異物影と判定された部分が、顔領域に位置するかどうかを判定する。
【００４４】
（落込み割合判定部）
次に、顔判定部６６において顔と判定された領域内に、異物影と判定された部分が存在する場合、それらについて、上記連結領域判定部６３において逆ガンマ補正して得られたリニアＲＧＢ情報を調べる。
【００４５】
異物影と判定された部分が異物影であれば、各リニアＲＧＢ情報に対して等しい比率で影響を与える。例えば、異物影の場合、異物周辺部のＲＧＢに対してそれぞれ約２０％のゲインの落ち込みが発生する。しかし、異物影でない、例えばホクロの領域では、周辺部に対する落ち込みが、ＲＧＢそれぞれに対して均等でない。この特徴より、顔部分にある異物影候補が、実際に異物影であるのかどうか、誤検出を見分けることができる。
【００４６】
（補正）
そして、補正部５１は、異物影判定部６０によって判定・選択された異物影領域に対して、その影響を低減する画像補正を行う。
【００４７】
つぎに、図７に示すフローチャートに従って、画像処理装置５０における異物影検出・補正処理の流れを説明する。また、図７、図７および以下の説明中、ステップを「Ｓ」とも略記する。
【００４８】
画像処理装置５０は、メモリカード４０を介して、または、カメラ１の外部インターフェース部１８を介して入力された補正対象画像データを読み込む（Ｓ０１）。
【００４９】
読み込んだ対象画像データの、ＲＧＢデータをそれぞれ逆ガンマ補正する（Ｓ０２）。
そして逆ガンマ補正したＲＧＢより式（１１）を用いて輝度Ｙを求め、輝度平面Ｙに平均化フィルタをかけてノイズ処理を行う（Ｓ０３）。
【００５０】
その後、Ｙの勾配（Ｙｇｒａｄ）を計算する（Ｓ０４）。
輝度勾配Ｙｇｒａｄが閾値以上の領域を抽出する（Ｓ０５）。
【００５１】
続いて、連結領域判定部６１により連結画素領域を抽出する（Ｓ０６）。
さらに、抽出された連結画素領域の大きさ判定を行う（Ｓ０７）。
【００５２】
次いで、輝度判定部６３によって、連結画素領域における内外の輝度比に基づいて異物影部の可能性のある領域に該当するか否かを判定する（Ｓ０８）。
さらに、色相判定部６４によって、連結画素領域における内外の色相比に基づいて異物影部の可能性のある領域に該当するか否かを判定し（Ｓ０９）、次に彩度判定を行う（Ｓ１０）。
【００５３】
顔判定部６６によって、異物影の可能性のある領域が、顔領域にあるかどうかを判断する（Ｓ１１）。
顔と検出された位置である場合、リニアＲＧＢ情報を調べる。ここで、リニアＲＧＢの落ち込みが等しい場合、異物影の可能性のある領域と判断する（Ｓ１２）。
【００５４】
そして、異物情報を保存し（Ｓ１３）、上記ステップ全てにおいて異物影部の可能性のある領域と判定されたものについて補正部５１により異物影の補正を行う（Ｓ１４）。
【００５５】
以上、本実施形態によると、顔検出部の情報での判別条件を加えることで、抽出してきたエリアが異物であるか、被写体であるかを区別することができ、誤検出を排除して異物の検出精度を高めることが出来る。また、写真の印象に強く影響する顔部分で発生した誤検出に対して異物かどうか正しい判別をして正確に異物だけを排除することができる。
【００５６】
（変形形態）
以上、説明した実施形態に限定されることなく、以下に示すような種々の変形や変更が可能であり、それらも本発明の範囲内である。
【００５７】
（１）上記実施形態では、電子スチルカメラであるカメラ１で撮影した画像データを処理する例を説明したが、必ずしもこの内容に限定する必要はない。本発明は、動画を扱うビデオカメラで撮影した画像データにも適用できる。また、カメラつき携帯電話などで撮影した画像データにも適用できる。さらに、コピー機やスキャナー等にも適用できる。すなわち、撮像素子を使用して撮像したあらゆる画像データに対して、本発明を適用することができる。
【００５８】
（２）上記実施の形態では、電子スチルカメラであるカメラ１で撮影した画像データをＰＣ（パソコン）３１で処理して異物の影響を除去する例を説明したが、この内容に限定するものではない。電子カメラ１にそのようなプログラムを備えてもよい。また、プリンタや投影装置などにそのようなプログラムを備えてもよい。すなわち、画像データを扱うあらゆる装置に、本発明は適用することができる。
【００５９】
（３）ＰＣ３１で実行するプログラムは、ＣＤ−ＲＯＭなどの記録媒体に限らず、インターネットなどのデータ信号を通じて提供することができる。
なお、実施形態及び変形形態は、適宜組み合わせて用いることもできるが、詳細な説明は省略する。また、本発明は以上説明した実施形態によって限定されることはない。
【符号の説明】
【００６０】
１：カメラ、１２：光学フィルタ、１３：撮像素子、１３ａ：カラーフィルタ、１７：メモリカード用インターフェース部、１８：外部インターフェース部、３０：パーソナルコンピュータ（ＰＣ）、３３：ＣＤ−ＲＯＭ、４０：メモリカード、５０：画像処理装置、５１：補正部、６０：異物影判定部、６１：連結領域判定部、６２：対象領域抽出部、６３：輝度判定部、６４：色相判定部、６５：彩度判定部、６６：顔判定部、６７：落込み割合判定部
【図１】
2012256169.tif 000006
【図２】
2012256169.tif 000007
【図３】
2012256169.tif 000008
【図４】
2012256169.tif 000009
【図５】
2012256169.tif 000010
【図６】
2012256169.tif 000011
【図７】
2012256169.tif 000012